(57)【要約】【課題】  電気基板ユニットを取り付ける部材、及び装置外装などに難燃性によらず材料を選択にすることで部品コストを低く抑える。【解決手段】  両面に電気部品が実装されている電気基板部４と、電気基板部４に取り付けられた難燃性の高いモールド部品であるホルダを持ち、電気基板部４の片面の高発熱電気部品を一箇所に集めホルダ内部に配置し、他方の面の高発熱電気部品を難燃性の高いシートで覆ったことを特徴とする電気基板ユニット。【選択図】  図２４
2005072146.tif 000002
【特許請求の範囲】
【請求項１】
両面に電気部品が実装されている電気基板と、前記電気基板に取り付けられた難燃性の高いモールド部品であるホルダを持ち、前記電気基板の片面の高発熱電気部品を一箇所に集めホルダ内部に配置し、他方の面の高発熱電気部品を難燃性の高いシートで覆ったことを特徴とする電気基板ユニット。
【請求項２】
前記ホルダは前記電気基板に接続された電気部品を保持していることを特徴とする電気基板ユニット。
【請求項３】
請求項１または請求項２に記載の電気基板ユニットを備えたことを特徴とする画像読取記録装置。
【発明の詳細な説明】
【技術分野】
【０００１】
本発明は、ファクシミリ、複写機、複合機など電気基板ユニットを用いた画像読取記録装置に関する。
【背景技術】
【０００２】
従来の画像読取記録装置では、電源基板の配置に特徴をもつ発明がなされていた（例えば、特許文献１参照。）。
【０００３】
この画像読取記録装置において、電気基板に近い部品は全て難燃性の高い材料でできている部品で覆うように構成されている。
【特許文献１】特開２００３−０４８３５６号公報
【発明の開示】
【発明が解決しようとする課題】
【０００４】
しかしながら、上記従来例のような構成だと、電気基板に近い部品全てにおいて難燃性の高い材料を使う必要があるため部品のコストが高くなってしまうという問題点があった。
【課題を解決するための手段】
【０００５】
上記の問題点を解決するために、本発明は、両面に電気部品が実装されている電気基板と、前記電気基板に取り付けられた難燃性の高いモールド部品であるホルダを持ち、前記電気基板の片面の高発熱電気部品を一箇所に集めホルダ内部に配置し、他方の面の高発熱電気部品を難燃性の高いシートで覆ったことを特徴とする電気基板ユニットを提供するものである。
【発明の効果】
【０００６】
請求項１〜３に記載の本発明によれば、電気基板ユニット内で全ての高発熱電気部品を難燃性の高い部品およびシートで覆っているため電気基板ユニットを取り付ける部材および装置外装などに難燃性によらず材料を選択することができ部品コストを低く抑えることができる。
【０００７】
また、新たに部品を追加することなく高発熱電気部品を難燃性の高い部品およびシートで覆うことができるためコストを低く抑えることができる。
【発明を実施するための最良の形態】
【０００８】
次に本発明に係る一実施形態である画像読取記録装置について説明する。
【０００９】
本実施形に係る画像読取記録装置を図に従って説明する。
【００１０】
図１は、本実施例の斜視図である。図２は、中央断面図である。図１および図２に示すように、パネル部１、画像読取部２、記録部３、電気基板部４、カードスロット部５により構成されている。
【００１１】
まず、パネル部１について説明する。図３はパネル部の拡大図、図４は部分断面図、図５はパネルユニットの裏面図、図６はオペパネカバーの取付図である。
【００１２】
構造として、パネルカバー１１にキー１２がはまっておりパネル基板１６がネジ止めされている。なお、カラースタートキー１２ａ、モノクロスタートキー１２ｂ、ストップキー１２ａ、テンキー１２ｄ、ファンクションキー（右）１２ｅ、矢印キー１２ｆ、ファンクションキー（左）１２ｇ、モードキー１２ｈ、電源キー１２ｉが、それぞれ１つ以上のキーが一体的に構成されており、パネルカバー１１の中に取り付けてある。
【００１３】
パネル基板１６上には、図示しないタクトスイッチがキー１２の下に半田付けされている。また、パネル基板１６上には、スペーサ１５を介して、ＬＣＤ１４が装着されている。このＬＣＤ１４の上にはＬＣＤ窓１３が取り付けてある。また、スペーサ１５の下には、電解コンデンサ１７が半田付けされている。これにより、電解コンデンサは、スペーサ１５とパネル基板１６に囲まれている状態になる。
【００１４】
スペーサ１５は、難燃性の高い材料で成形されていると同時にパネル基板１６も、難燃性の高いものを使用している。これにより、パネルカバー１１に比べて、比較的小さい部品で電気部品を難燃性の高い部品で覆うことができる。
【００１５】
パネル基板１６の裏面にはチップ部品１６ａ，１６ｂ，１６ｃが実装されており、絶縁シートで覆われていて、外部に対して露出しないようになっている。これにより、チップ部品も外部より遮断されているため、表側と同様に、電気部品を必要最小限の大きさの難燃性の高い部品で覆うことができる。
【００１６】
操作部カバー１９は、パネルカバー１１に矢印Ａの方向から、はめ込めるようになっている。これは、製品の仕向け地を変更する際、操作部カバー１９に各キーの名称が印刷されているため、操作部カバー１９を交換するだけで対応できるようにしたものである。
【００１７】
次に、カードスロット部５について説明する。図７、８に示すように、カードスロット部５はパネル部１の下に配置されており、図７，８に示すように、本体の正面の右に配置されている。図７は、カードスロット蓋５１が閉まっている状態で、埃等が入らない様になっている。
【００１８】
図８は、カードスロット蓋５１が開いており、メモリーカードの挿入ができる状態にある。図９はサイドカバー５６、画像読取部２を取りはずした時の図である。カードスロット部５は、カード基板５１、カードコネクタ部５２、イジェクトボタン５３で構成されている。本体上の挿入口５４からメモリーカードが挿入できるようになっている。
【００１９】
また、挿入されたメモリーカードはイジェクトボタン５３を押すことにより、取り外しが出来る。本実施例では、コンパクトフラッシュ（登録商標）、スマートメディア、メモリースティック、ＳＤカードなどの各種メモリーカードを差し込むことができる。
【００２０】
カードスロット部５は、デジタルカメラの画像等をメモリーカードを通じて、本体に読み込ませ、それらを記録部から直接印刷させること、また、ＰＣと直接接続することによりメモリーカードをＰＣよりリード、ライトさせることができる。
【００２１】
次に、カードスロット蓋５１の取付方法について説明する。図２５は、カードスロット周辺のカバー構成図、図２６はカバースロット蓋のヒンジ詳細図１、図２７はカバースロット蓋のヒンジ詳細図２である。
【００２２】
カードスロット周辺のカバーは、サイドカバー（右）５６、本装置の飾り部品であるサイドカバー透明５８、カードスロット蓋５１で構成されている。図２６、２７で示すように、カードスロット蓋５１のヒンジ部５１ａは、サイドカバー（右）５６の軸受部５６ａと、サイドカバー透明５８の軸受部５８ａの両方に嵌るようになっている。
【００２３】
これは、本装置では軸径を３ｍｍとっているため、基本肉厚２．５ｍｍのサイドカバー（右）５６とサイドカバー透明５８の片方だけでは、軸受部を構成することが困難である。当然、内側にヒンジ軸受部を出っ張らせることにより構成可能であるが、本装置の場合は、カード基板が内側の間近にあるため、不可能である。
【００２４】
従って、本来、外観の飾り部品の一つであるサイドカバー透明５８にも、一部の軸受部を設けることにより、ヒンジ部を構成することができる。なお、本説明では、２ヶ所のヒンジ部の内、上部のみを説明したが、下部も同様である。
【００２５】
また、本構成のさらなる長所として、サイドカバー蓋５１を図８の開いた状態からさらに、強く矢印Ｐの方向に押すと、サイドカバー透明５８の軸受部５８ａが浮きやすくなり、ヒンジが壊れる前に外れるということがある。
【００２６】
次に画像読取部２の説明をする。図１０は、原稿をセットする際の本体図で、原稿を裏向きにセットするガラス２３である。ガラス２３はカバー１２５により、上から押えられている。原稿の浮きを押える圧板２１と、スポンジと白色シートで構成されている圧板白シート２２がヒンジ１２４を介して取り付けられている。
【００２７】
図１１は図１０からガラス２３、カバー１２５を外した状態で、画像読取部２の内部構造がわかるようにしたものである。これらの内部部品はすべてスキャナフレーム１２０に取り付けられている。画像を読取るＣＣＤ読取ユニット２４が、軸２５とレール１２１の上をガイドされて動くようになっている。
【００２８】
また、ＣＣＤ読取ユニット２４はモータを動力として、駆動ギア部１２２で減速され、タイミングベルト２６を介して駆動されている。タイミングベルト２６は駆動ギア部１２２の対向部にプーリー２９に掛けられている。これらの動作について説明すると、コピーやＰＣからのスキャン動作の時に、ＣＣＤ読取ユニット２４が、矢印Ｂの方向に駆動され、ガラス２３を介して原稿を読取る。
【００２９】
次に、記録部３について説明する。図２で示すように、矢印Ｃの方向に記録紙１００ａは搬送される。トレイなどを開いた状態にした外観図が図１２であり、図２と合わせて説明するとＡＳＦベース３０と中板３６にセットされた記録紙１００ａの先端部は記録紙トレイ３２と記録紙補助トレイ３１により、保持されている。
【００３０】
また、記録紙１００ａは左右方向にスライド可能なスライダー３３により、端部をガイドされており、斜行等を防止している。記録紙補助トレイ３１ａ，３１ｂは、スライド式で、矢印Ｄの方向へスライドでき、記録紙トレイ３２の中に収納できる。
【００３１】
また、記録紙トレイ３２は、ヒンジ部３２ａを中心に矢印Ｅの方向に回転可能であり、本体に突き当たるまで回転することができる。図１３が閉じた状態図で、図１４はトレーを開いた状態の外観図である。なお、記録紙トレイ３２の開閉は、図７の圧板２１の開閉とは干渉しないようになっており、お互いどの角度の状態であっても、開閉可能となっている。このように記録紙トレイ３２が折りたためることにより、通常使わない時は出っ張りがなくコンパクトにできるだけでなく、給紙部等に埃等が入るのも防止することができる。
【００３２】
以上のように積載された記録紙１００ａは、図示しないカムにより中板３６が押し上げられ、給紙ローラ３４と分離ローラ３５により一枚に分離され給送される。この分離機構は、実際に駆動されるのは給紙ローラ３４で、分離ローラ３５は、回転方向に一定以上のトルクがかからないと回転しないようになっており、複数枚の紙がこのローラ間に入ったとき、紙を分離する力より、分離ローラを回転させる力の方が強いので、一枚ずつ記録紙を搬送することができる。
【００３３】
これらのローラで分離された原稿は搬送ローラ３７ａとピンチコロ３７ｂとの間に搬送され、一定速度でインクジェット印字部に搬送される。図１５は正面から、カートリッジドア１３３を開けた図、図１６は、側面から見たカートリッジドアを開けた図である。インクジェット印字部にはプリントヘッドを一体的に構成しているカートリッジ３９、カラーインクタンク３８ａとブラックインクタンク３８ｂが装着されている。
【００３４】
カートリッジ３９は、ガイドシャフト１３４にガイドされ記録紙の送り方向に対して垂直方向に動かすことにより、記録紙に印字する。印字をした記録紙は、排紙ローラ対１３０により、記録紙排紙トレイ１３１と、記録紙排紙補助トレイ１３２に排出される。なお、排紙トレイ１３１は、記録の印字の開始とともに自動的に開くようになっている。これにより、ユーザーが、排紙トレイ１３１を開き忘れて、記録紙をＪＡＭさせることを防止することができる。
【００３５】
排紙トレイ１３１に関しては、画像読取部２を矢印Ｆの方向に上げるとことによっても、自動的に矢印Ｇの方向に開く。図１７は、画像読取部２が下がった絵、図１８は、画像読取部２が上がった絵である。
【００３６】
図１７においてはセンサーレバーが、押し込まれた状態であるので、フォトインタラプタ４０２がＯＮの状態になっている。図１８においては、センサーレバー４０１が図示しないねじりコイルバネで上方向に押し上げられている。これにより、フォトインタラプタ４０２はＯＦＦになる。このフォトインタラプタ４０２の検知により、排紙トレイ１３１を自動的に開くトリガーとしている。
【００３７】
次に、排紙トレイ１３１の自動開機構について説明する。図２８は、排紙トレイ１３１の開機構の斜視図、図１９は排紙トレイ１３１が、閉まっている状態の側面図、図２０は排紙トレイ１３１が、開いている状態の側面図である。図１８に示すように、回転中心の片方が、開ユニット３００に接続されている。図１９で、カムギア３０２は、排紙トレイ１３１につながっており、カムギア３０２の回転角度と、排紙トレイ１３１の回転角度は同期している。閉まった状態では、ねじりコイルバネ３０３により、排紙トレイ１３１が、開方向に押圧されている。
【００３８】
但し、ソレノイド３０１の可動板３０１ａが、カムギア３０２の段差部３０２ａにかかっているため、閉じた状態で保持されている。なお、この状態では、カムギア３０２と、オイルダンパー３０４は噛み合っていない。
【００３９】
図１９の状態から、電気信号により、ソレノイド３０１が作動し、可動板３０１ａが矢印Ｈの方向に動くと、カムギア３０２は付圧されているため、矢印Ｉの方向に回転する。カムギア３０２は、最初、ねじりコイルバネ３０３により付圧されているが、途中で付圧がなくなるようにしてある。
【００４０】
これは、排紙トレイ１３１の自重により、開くことができるためである。また、カムギア３０２は、途中から、オイルダンパー３０４と噛み合うようになる。これにより、排紙トレイ１３１が開くスピードが遅くなり、排紙トレイ１３１が着地したときの衝撃音を押さえることができる。また、排紙トレイキー３０５は、可動板３０１ａを本体外部から、矢印Ｊの方向に押すことができるようにしてあり、電気的ではなく、手動で、カムギア３０２ａのロックを解除することができ、排紙トレイ１３１を開くことができる。
【００４１】
この自動開機構により、インクタンクを交換する際、まず、画像読取部２を矢印Ｆの方向にあげる。これにより、前述の自動開機構により、排紙トレイ１３１が開く。次に、カートリッジドア１３３を図１６の矢印Ｇの方向に開けることにより、図１５のような状態になる。なお、この画像読取部２の開閉を検知することにより、通常、カートリッジ３９のヘッド部が乾燥してしまうのを防止するために図示しない図１５の右奥側に退避しているが、画像読取部２が開いたことを検知すると図１２の位置にカートリッジ３９が、ユーザがインクタンク３８を交換できる位置に移動する。この状態で、ユーザは外部からインクタンク３８を交換することが出来る。
【００４２】
また、記録紙排紙補助トレイ１３２は、記録を行っていないときは、記録紙排紙補助トレイ１３２を矢印Ｋの方向にスライドさせ、記録紙排紙トレイ１３１の中に収納できる。さらに、記録紙排紙トレイ１３１は矢印Ｌの方向に閉じることができ、最終的には図１のような状態、同じく、図１９の状態にすることができる。
【００４３】
次に、排紙トレイ１３１の開閉センサについて説明する。図２１は、排紙トレイ１３１が閉じた状態図、図２２は、排紙トレイが開いた状態図である。制御基板４１には、フォトインタラプタ４０４と、トレイセンサレバー４０３が取り付けてある。図２１に示すように、トレイが閉じた状態では、図示しないバネで付勢されており、フォトインタラプタ４０４がトレイセンサレバー４０３により、ＯＮの状態になっている。
【００４４】
この状態から、矢印Ｍの方向に排紙トレイ１３１が開くと、図２２の状態になる。この状態では排紙トレイ１３１が、トレイセンサレバー４０３を矢印Ｎの方向に押し上げているため、フォトインタラプタ４０４がＯＦＦの状態になる。これにより、排紙トレイ１３１が開いている状態を検知することができ、前述の自動開機構で開こうとして、障害物により開かなかったことを検知することができ、引いては、記録紙のＪＡＭを防止することができる。
【００４５】
尚、本実施例で使用しているインクジェット記録方式の中でも、インク吐出を行わせるために利用されるエネルギーとして熱エネルギーを発生する手段（例えば電気熱変換体やレーザ光等）を備え、前記熱エネルギーによりインクの状態変化を生起させる方式のプリント装置について説明したが、かかる方式によれば記録の高密度化、高精細化が達成できる。
【００４６】
その代表的な構成や原理については、例えば、米国特許第４７２３１２９号明細書、同第４７４０７９６号明細書に開示されている基本的な原理を用いて行うものが好ましい。この方式はいわゆるオンデマンド型、コンティニュアス型のいずれにも適用可能であるが、特に、オンデマンド型の場合には、液体（インク）が保持されているシートや液路に対応して配置されている電気熱変換体に、記録情報に対応していて膜沸騰を越える急速な温度上昇を与える少なくとも１つの駆動信号を印加することによって、電気熱変換体に熱エネルギーを発生せしめ、記録ヘッドの熱作用面に膜沸騰を生じさせて、結果的にこの駆動信号に１対１で対応した液体（インク）内の気泡を形成できるので有効である。
【００４７】
この気泡の成長、収縮により吐出用開口を介して液体（インク）を吐出させて、少なくとも１つの滴を形成する。この駆動信号をパルス形状をすると、即時適切に気泡の成長収縮が行われるので、特に応答性に優れた液体（インク）の吐出が達成でき、より好ましい。
【００４８】
このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
【００４９】
記録ヘッドの構成としては、上述の各明細書に開示されているような吐出口、液路、電気熱変換体の組み合わせ構成（直線状液流路または直角液流路）の他に熱作用面が屈曲する領域に配置されている構成を開示する米国特許第４５５８３３３号明細書、米国特許第４４５９６００号明細書を用いた構成も本発明に含まれるものである。
【００５０】
加えて、複数の電気熱変換体に対して、共通するスロットを電気熱変換体の吐出部とする構成を開示する特開昭５９−１２３６７０号公報や熱エネルギーの圧力波を吸収する開口を吐出部に対応させる構成を開示する特開昭５９−１３８４６１号公報に基づいた構成としても良い。
【００５１】
さらに、記録装置が記録できる最大記録媒体の幅に対応した長さを有するフルラインタイプの記録ヘッドとしては、上述した明細書に開示されているような複数記録ヘッドの組み合わせによってその長さを満たす構成や、一体的に形成された１個の記録ヘッドとしての構成のいずれでもよい。
【００５２】
加えて、装置本体に装着されることで、装置本体との電気的な接続や装置本体からのインクの供給が可能になる交換自在のチップタイプの記録ヘッド、あるいは記録ヘッド自体に一体的にインクタンクが設けられたカートリッジタイプの記録ヘッドを用いてもよい。
【００５３】
また、本発明の記録装置の構成として設けられる、記録ヘッドに対しての回復手段、予備的な補助手段等を付加することは本発明の効果を一層安定にできるので好ましいものである。これらを具体的に挙げれば、記録ヘッドに対してのキャッピング手段、クリーニング手段、加圧あるいは吸引手段、電気熱変換体あるいはこれとは別の加熱素子あるいはこれらの組み合わせによる予備加熱手段、記録とは別の吐出を行う予備吐出モードを行うことも安定した記録を行うために有効である。
【００５４】
さらに、記録装置の記録モードとしては黒色等の主流色のみの記録モードだけではなく、記録ヘッドを一体的に構成するか複数個の組み合わせによってでも良いが、異なる色の複色カラー、または混色によるフルカラーの少なくとも１つを備えた装置とすることもできる。
【００５５】
次に電気基板部４と全体レイアウトについて説明する。図２３は、外装カバーを取り外し、全体の電気基板の構成と周辺の構成を表した図であり、図２４は取付方法を示した図である。ボトムケース６００に電源４５が取り付けてあり、その上から記録部３が取り付けてある。電源４５のインレット４５ａは外部より電源コードが取り付けられる。
【００５６】
中継基板４４は、記録部３のモータのコネクタ４６、記録紙の位置を検出するフォトインタラプタ４７、中板３６を押し下げるカムの位置を検出するフォトインタラプタ４８が実装されており、これらをコネクタ４９からまとめて、制御基板４１と接続されている。これにより、制御基板４１との接続が集中できるため、組立が容易になる。また、制御基板４１には、モデム基板１４１、カード基板５１、カメラＵＳＢ基板１４２が取り付けてある。
【００５７】
全体構成上の電気基板のレイアウトについて説明する。図１１に示すように、ＣＣＤ読取ユニット２４は通常の待機状態では装置の右端にある。すなわち、この待機エリアの上下のスペースは、ガラス２３や、画像読取部３より左右方向が狭い記録部３を配置していない。従って、ＣＣＤ読取ユニット２４の上部に、パネル部１、下部に制御基板４１をはじめとするモデム基板４１、カード基板５１、カメラＵＳＢ基板１４２の電気基板部４を配置することにより、デッドスペースをほとんどなくすことができ、装置の小型化に寄与することができる。
【００５８】
また、電源４５、モジュラー基板１４３、ＮＣＵ基板は、装置の背面に配置している。これは、ＡＳＦベース３０の下のデッドスペースに配置したもので、前記と同様、本体装置を大きくすることなく、レイアウトしている。これら、背面部に配置したユニットと、本体右部に配置したユニットは、右後部を経由して、接続が容易なレイアウトとなっている。さらに、カメラＵＳＢ基板１４２、カード基板５１は、外部から挿し込む口がすべて、前部になっており、操作性の向上に寄与している。
【００５９】
次に本画像読取記録装置のオペレーションの一例について説明する。図３のパネル部のキーを操作することにより、動作させる。たとえば、コピーを行うときの操作について説明する。電源キー１２ｉを押す。次に、機能キー１２ｈ−１でコピーキーを選択する。メニューキー１２ｆ−１で、画質、記録させるメディアを選択、矢印キー１２ｆ−３，１２ｆ−４でコピー枚数を設定する。
【００６０】
枚数設定に関しては、テンキー１２ｄでも、同様に設定できる。その後、圧板２１を開けて、コピーしたい原稿をガラス２３上にセットする。記録紙を記録紙トレイ３２にセットし、最後にカラーコピーをするときはのカラースタートキー１２ａを押し、モノクロコピーをするときは、モノクロスタートキー１２ｂを押す。このように、パネル部１のキーは、操作する順番に上から下に操作することにより、すべての操作が抜けなく、自然におこなうことが出来るように配置されている。操作方法の例として、コピーで説明したが、最初の機能キー１２ｃで、スキャンを選択すると、ＵＳＢ４３を通じて接続されているＰＣからのスキャンをさせることができる。
【００６１】
写真を選択すると、前述のカードスロット部５に挿入されている画像を直接記録部３に記録させることができる。ＦＡＸを選択すると、テンキー１２ｄで相手先の電話番号を入力することにより、ＦＡＸの送信を行うことができる。
【図面の簡単な説明】
【００６２】
【図１】本発明の実施例に係る画像読取記録装置の斜視図である。
【図２】本発明の実施例に係る画像読取記録装置の断面図である。
【図３】本発明の実施例に係る画像読取記録装置のパネル部の拡大図である。
【図４】本発明の実施例に係る画像読取記録装置のパネル部の断面図である。
【図５】本発明の実施例に係る画像読取記録装置のパネル部の裏面図である。
【図６】本発明の実施例に係る画像読取記録装置のパネル部の操作部カバー取り付け図である。
【図７】本発明の実施例に係る画像読取記録装置のカードスロット蓋を閉じた状態図である。
【図８】本発明の実施例に係る画像読取記録装置のカードスロット蓋を開いた状態図である。
【図９】本発明の実施例に係る画像読取記録装置のカード基板側面図である。
【図１０】本発明の実施例に係る画像読取記録装置の圧板を開いた状態図である。
【図１１】本発明の実施例に係る画像読取記録装置の画像読取部のガラスを取り除いた図である。
【図１２】本発明の実施例に係る画像読取記録装置の記録紙トレイを出した状態図である。
【図１３】本発明の実施例に係る画像読取記録装置の記録紙トレイを閉じた背面図である。
【図１４】本発明の実施例に係る画像読取記録装置の記録紙トレイを開いた背面図である。
【図１５】本発明の実施例に係る画像読取記録装置のカートリッジを交換する状態の斜視図である。
【図１６】本発明の実施例に係る画像読取記録装置のカートリッジを交換する状態の側面図である。
【図１７】本発明の実施例に係る画像読取記録装置の画像読取部の開閉センサ閉の状態図である。
【図１８】本発明の実施例に係る画像読取記録装置の画像読取部の開閉センサ開の状態図である。
【図１９】本発明の実施例に係る画像読取記録装置の排紙トレイ自動開機構の閉の状態図である。
【図２０】本発明の実施例に係る画像読取記録装置の排紙トレイ自動開機構の開の状態図である。
【図２１】本発明の実施例に係る画像読取記録装置の排紙トレイ開閉センサの閉の状態図である。
【図２２】本発明の実施例に係る画像読取記録装置の排紙トレイ開閉センサの開の状態図である。
【図２３】本発明の実施例に係る画像読取記録装置の電気基板の配置図である。
【図２４】本発明の実施例に係る画像読取記録装置の電気基板周辺の組立図である。
【図２５】本発明の実施例に係る画像読取記録装置のカードスロット蓋の組立図である。
【図２６】本発明の実施例に係る画像読取記録装置のカードスロット蓋ヒンジ部詳細図１である。
【図２７】本発明の実施例に係る画像読取記録装置のカードスロット蓋ヒンジ部詳細図２である。
【図２８】本発明の実施例に係る画像読取記録装置の排紙トレイ開閉センサの閉の斜視図である。
【符号の説明】
【００６３】
１  パネル部
２  読取部
３  記録部
４  電気基板部
５  カードスロット部
２１  圧板
２３  ガラス
３１  記録紙トレイ
３２  記録紙補助トレイ
３８  インクタンク
３９  カートリッジ
４１  制御基板
４２  カートリッジドア用フォトインタラプタ
４４  中継基板
４５  電源
１００  記録紙
２００  ミドルフレーム
３００  ボトムケース
１３１  記録紙排紙トレイ
１３２  記録紙排紙補助トレイ
１３３  カートリッジドア
【図１】
2005072146.tif 000003
【図２】
2005072146.tif 000004
【図３】
2005072146.tif 000005
【図４】
2005072146.tif 000006
【図５】
2005072146.tif 000007
【図６】
2005072146.tif 000008
【図７】
2005072146.tif 000009
【図８】
2005072146.tif 000010
【図９】
2005072146.tif 000011
【図１０】
2005072146.tif 000012
【図１１】
2005072146.tif 000013
【図１２】
2005072146.tif 000014
【図１３】
2005072146.tif 000015
【図１４】
2005072146.tif 000016
【図１５】
2005072146.tif 000017
【図１６】
2005072146.tif 000018
【図１７】
2005072146.tif 000019
【図１８】
2005072146.tif 000020
【図１９】
2005072146.tif 000021
【図２０】
2005072146.tif 000022
【図２１】
2005072146.tif 000023
【図２２】
2005072146.tif 000024
【図２３】
2005072146.tif 000025
【図２４】
2005072146.tif 000026
【図２５】
2005072146.tif 000027
【図２６】
2005072146.tif 000028
【図２７】
2005072146.tif 000029
【図２８】
2005072146.tif 000030